(57)【要約】  【課題】引出し装置を備えた冷蔵庫に関し、ガタツキの少ない使い勝手の良い、かつ材料費および加工費を抑制した冷蔵庫を提供する。  【解決手段】フレーム支持部材３１の上面には、フレーム２６を下方より支持する曲面形状の支持部３２を前後方向の端部近傍に２ヵ所設けているので、製氷室扉２１ａ開放時、フレーム２６に過重がかかった時の支点となるフレーム支持部材３１の支持部をできる限り手前に位置することが可能となり、移動ローラーとフレーム支持部材の支持部の距離を広げることが出来、扉に荷重がかかったときの移動ローラーおよびフレーム支持部材の支持部にかかる力の低減を行なうことができる。更に、前後対称形状としているので、フレーム支持部材の左右兼用が可能となり、同一形状により材料費及び加工費の低減を図ることができる。【選択図】図４
2006038357.tif 000002
【特許請求の範囲】
【請求項１】
内箱と、外箱と、前記内箱と外箱間に充填した発泡断熱材とよりなる前面開口部を有する断熱箱体を備えた冷蔵庫において、冷蔵庫本体と、この本体の貯蔵室を区画する中仕切壁と、食品収納ケースを載置するフレームが取り付けられた引き出し扉と、前記中仕切壁とは別部品で形成し前記フレームを下方より支持する曲面形状の支持部を有したフレーム支持部材とを備えたことを特徴とする冷蔵庫。
【請求項２】
フレーム支持部材は、フレームの左右の動きを規制するための規制リブを備えたことを特徴とする請求項１に記載の冷蔵庫。
【請求項３】
フレームの左右の動きを規制するための規制リブは前後方向に複数設け前後対称形状とし、フレームとは面で規制することを特徴とする請求項２に記載の冷蔵庫。
【請求項４】
フレームを下方より支持する曲面形状の支持部は前後方向に複数設け前後対称形状としたことを特徴とする請求項１から３のいずれか一項に記載の冷蔵庫。
【請求項５】
フレームの左右の動きを規制するための規制リブとフレームを下方より支持する曲面形状の支持部とは左右に併設して配置したことを特徴とする請求項１から４のいずれか一項に記載の冷蔵庫。
【請求項６】
フレーム支持部材を樹脂で成型したことを特徴とする請求項１から５のいずれか一項に記載の冷蔵庫。
【発明の詳細な説明】
【技術分野】
【０００１】
本発明は、引出し装置を備えた冷蔵庫に関し、特に引出しフレームを支持する部品の構成に関するものである。
【背景技術】
【０００２】
近年、冷蔵庫は、収納量の増加、使い勝手の向上を図るため、引出し装置を備えたものが主流となってきており、フレームを下方から支持する方法が用いられることも多い（例えば、特許文献１参照）。
【０００３】
以下、図面を参照しながら、上記従来のフレームを下方から支持する引出し装置を備えた冷蔵庫について説明する。
【０００４】
図７は、特許文献１に示された従来の冷蔵庫の引出し扉装置を示す部分縦断面図である。図において、冷蔵庫本体１の断熱材２は内箱３と外箱４との間に充填され、レール部５は内箱３の両側壁へ一対に固定されたものであり、フレーム６の後部へ設けた移動ローラー７が摺動する。本体側に設けられ、本体側固定ローラー８を収納し、下側中仕切壁９とは別部品で形成された固定ローラー収納部を備え、軸８ａを介して下側中仕切壁９へ取付けられ前記フレーム６の第１フランジ部６ａが摺動する。ケース１０は左右のフレーム６の第２フランジ部６ｂの内側及び第１フランジ部６ａの上に載置されており、ケース１０の両側下側コーナー部を覆うようにフレーム６が略Ｌ字形の形状で位置している。
【０００５】
下側中仕切壁９の両端へ埋設された固定ローラー収納部であるローラー収納ボックス１１で、本体側固定ローラー８は、ローラー収納ボックス１１のツメ１１ａで係合された軸８ａを介してローラー収納ボックス１１へ取り付けられる。
【０００６】
また、１１ｃはローラー収納ボックス１１の前部と横部に設けたＬ字形の規制リブで、引出し扉を引出した時の左右のブレをフレーム６と当接させることにより抑制している。
【特許文献１】特開２０００−２４８０号公報
【発明の開示】
【発明が解決しようとする課題】
【０００７】
しかしながら、上記従来の冷蔵庫では、引出し扉を引出した時の左右フレームのブレを抑制するローラー収納ボックスの前部と横部に設けたＬ字形の規制リブが、ドアのブレの抑制とドアの引き出し代を大きくするためには、左右それぞれとも手前の位置に必要となるため、収納ボックスが左右それぞれ専用構造となり、左右２種類必要となる。また、ローラーとローラー収納ボックスの２部品の構成であるため、材料費及び加工費が高くなるという課題を有していた。
【０００８】
本発明は上記従来の課題を解決するものであり、左右兼用化構造を可能とし、低コスト化を図ったフレーム支持部材を備えた引出し扉を有する冷蔵庫を提供することを目的とする。
【課題を解決するための手段】
【０００９】
上記従来の課題を解決するために、本発明の冷蔵庫は、内箱と、外箱と、前記内箱と外箱間に充填した発泡断熱材とよりなる前面開口部を有する断熱箱体を備えた冷蔵庫において、冷蔵庫本体と、この本体の貯蔵室を区画する中仕切壁と、食品収納ケースを載置するフレームが取り付けられた引き出し扉と、前記中仕切壁とは別部品で形成し前記フレームを下方より支持する曲面形状の支持部を有したフレーム支持部材とを備えたものである。
【００１０】
これにより、ローラーとローラー収納ボックスの２部品で構成したものより、部品点数を削減できる。また、フレームを下方より支持する曲面形状の支持部を前後方向に複数設けることで、左右の各部品の兼用化が可能となる。
【発明の効果】
【００１１】
本発明の冷蔵庫は、引出し扉を引出した時のフレームを支持する支持部品を一部品で形成し、さらに左右兼用可能な形状にすることにより、材料費及び加工費を安く抑えることができる。
【発明を実施するための最良の形態】
【００１２】
請求項１に記載の発明は、内箱と、外箱と、前記内箱と外箱間に充填した発泡断熱材とよりなる前面開口部を有する断熱箱体を備えた冷蔵庫において、冷蔵庫本体と、この本体の貯蔵室を区画する中仕切壁と、食品収納ケースを載置するフレームが取り付けられた引き出し扉と、前記中仕切壁とは別部品で形成し前記フレームを下方より支持する曲面形状の支持部を有したフレーム支持部材とを備えたものであり、フレームと接する支持部の曲面形状により、フレームと支持部は線接触で支持され、摺動抵抗を小さくできスムーズな引き出し動作が可能となる。また、フレーム支持部材を一部品で形成でき、材料費及び加工費を安く抑えることができる。
【００１３】
請求項２に記載の発明は、請求項１に記載の発明において、フレーム支持部材は、フレームの左右の動きを規制するための規制リブを備えたものであり、フレームの左右の動きに対する規制を行なうことで扉の操作性の確保、扉のガタツキの抑制を図ることができる。
【００１４】
請求項３に記載の発明は、請求項２に記載の発明において、フレームの左右の動きを規制するための規制リブは前後方向に複数設け前後対称形状とし、フレームとは面で規制するものであり、さらに確実にフレームの左右の動きに対する規制を行なうことで扉の操作性の確保、扉のガタツキの抑制を図ることができる。また、フレーム支持部材の左右兼用が可能となり、材料費及び加工費の低減を図ることができる。
【００１５】
請求項４に記載の発明は、請求項１から３のいずれか一項に記載の発明において、フレームを下方より支持する曲面形状の支持部は前後方向に複数設け前後対称形状としたものであり、フレームに過重がかかった時の支点となるフレーム支持部材の支持部を手前に位置することが可能となり、移動ローラーとフレーム支持部材の支持部の距離を広げることが出来、扉に荷重がかかったときの移動ローラーおよびフレーム支持部材の支持部にかかる力の低減を行なうことができる。更に、フレーム支持部材の左右兼用が可能となり、材料費及び加工費の低減を図ることができる。
【００１６】
請求項５に記載の発明は、請求項１から４のいずれか一項に記載の発明において、フレームの左右の動きを規制するための規制リブとフレームを下方より支持する曲面形状の支持部とは左右に併設して配置したものであり、フレームの摺動と左右動きの規制をスムーズに行うことができるとともに、規制リブの強度を高めることができる。
【００１７】
請求項６に記載の発明は、請求項１から５のいずれか一項に記載の発明において、フレーム支持部材を樹脂にて成形することにより、形状を自由に、また安価に成形することができる。
【００１８】
以下、本発明の実施の形態について、図面を参照しながら説明する。なお、この実施の形態によってこの発明が限定されるものではない。
【００１９】
（実施の形態１）
図１は本発明の実施の形態１における冷蔵庫の側断面図、図２は同実施の形態の冷蔵庫の製氷室の正面図、図３は同実施の形態の冷蔵庫の図２の詳細図、図４は同実施の形態の冷蔵庫の引き出し扉を引き出した状態時の側面図、図５は同実施の形態の冷蔵庫の図４の平面図、図６は同実施の形態の冷蔵庫のフレーム支持部材の斜視図である。
【００２０】
図１から図６において、冷蔵庫１２の断熱箱体１３は内箱１４と外箱１５との間に発泡断熱材１６を充填したものであり、前面開口部１７を有し、仕切壁１８、１９、２４により、上部より冷蔵室２０、製氷室２１、野菜室２２、冷凍室２３を形成している。
【００２１】
そして、冷蔵室２０、製氷室２１、野菜室２２、冷凍室２３の前面開口部１７には、それぞれ開閉自在に回転式の冷蔵室扉２０ａ、引出式の製氷室扉２１ａ、引出式の野菜室扉２２ａ、引出式の冷凍室扉２３ａを備えている。
【００２２】
製氷室２１の下部両側面には一体で形成されたレール部２５を設け、フレーム２６の後部に設けられた移動ローラー２７がレール部２５の溝部２５ａ内を回動し前後に移動可能としている。そして、略Ｌ型のフレーム２６は左右に１本ずつ引出式の製氷室扉２１ａの下部の扉内板２９に取り付け固定されており、左右フレーム２６のフランジ部２６ａに食品収納ケースとしての貯氷箱３０を載置する。
【００２３】
一方、仕切壁１９の前方には凹部２８を有し、フレーム２６の下部を摺動しながら支持するフレーム支持部材３１を埋没している。
【００２４】
フレーム支持部材３１の上面には、フレーム２６を下方より支持する曲面形状の支持部３２を前後方向の端部近傍に２ヵ所設け、前後対称形状としている。また、フレーム２６の左右の動きを規制するための規制リブ３３は前後方向に２ヵ所設け、前後対称形状とし、フレーム２６の垂直壁とは面３３ａで規制する構造としている。また、前後方向に２ヵ所設けたフレーム２６を下方より支持する曲面形状の支持部３２とフレーム２６の左右の動きを規制するための規制リブ３３とはフレーム支持部材３１上で左右に併設して配置し、曲面形状の支持部３２より規制リブ３３を高くしている。また、規制リブ３３の外側には縦方向に複数の補強リブ３４を一体に成形している。
【００２５】
また、フレーム支持部材３１の周囲にはフランジ３５を全周にわたり形成し、フランジ３５はフレーム支持部材３１を仕切壁１９に取付時、凹部２８の周縁を覆うように固定される。そのとき、フレーム支持部材３１の下部の前後側面には係止用のツメにより、凹部２８の前後側面の穴に嵌め込まれ強固に固定される。また、フレーム支持部材３１の下部内面には補強用の格子状の複数のリブを形成してもよい。なお、フレーム支持部材３１はポリアセタールを基材とした樹脂で一体にインジェクション成形している。
【００２６】
上記構成において、動作を説明する。
【００２７】
製氷室２１内の氷を取り出すとき、製氷室扉２１ａの引き出しと連動して、フレーム２６のフランジ部２６ａに載置した貯氷箱３０が前方に引き出され、氷の取り出しが容易にできるようになる。このとき、仕切壁１９の前方にはフレーム２６の下部を摺動しながら支持するフレーム支持部材３１を埋没し、フレーム２６を下方より支持する曲面形状の支持部３２を有しているので、フレーム２６と支持部３２は線接触で支持され、摺動抵抗を小さくでき製氷室扉２１ａスムーズな引き出し動作が可能となる。また、フレーム支持部材３１を一部品で形成でき、材料費及び加工費を安く抑えることができる。
【００２８】
また、フレーム２６の左右の動きを規制するための規制リブ３３は前後方向に２ヵ所設け、前後対称形状とし、フレーム２６の垂直壁とは面３３ａで規制する構造としているので、単一の規制リブで左右２点で規制するものに対し、本発明では左右４点で規制できることになり、製氷室扉２１ａ引出し時の左右のガタツキを抑制でき、扉の操作性を高めることができる。
【００２９】
また、フレーム支持部材３１の上面には、フレーム２６を下方より支持する曲面形状の支持部３２を前後方向の端部近傍に２ヵ所設けているので、製氷室扉２１ａ開放時、フレーム２６に過重がかかった時の支点となるフレーム支持部材３１の支持部をできる限り手前に位置することが可能となり、移動ローラーとフレーム支持部材の支持部の距離を広げることが出来、扉に荷重がかかったときの移動ローラーおよびフレーム支持部材の支持部にかかる力の低減を行なうことができる。更に、前後対称形状としているので、フレーム支持部材の左右兼用が可能となり、同一形状により材料費及び加工費の低減を図ることができる。
【００３０】
また、前後方向に２ヵ所設けたフレーム２６を下方より支持する曲面形状の支持部３２とフレーム２６の左右の動きを規制するための規制リブ３３とはフレーム支持部材３１上で左右に併設して配置しているので、フレーム２６の摺動と左右動きの規制をスムーズに行うことができるとともに、規制リブ３３の強度を簡素な構造で高めることができる。
【００３１】
なお、フレーム支持部材３１は摺動性、耐摩耗性にすぐれたポリアセタールを基材とした樹脂で一体にインジェクション成形しているので、長期信頼性を確保しながら、形状を自由に、また安価に成形することができる。
【００３２】
また、フレーム支持部材３１を交換する場合には、凹部２８を覆うフランジ３５の下部の係止用のツメを外すように、フランジ３５の下部に工具（ドライバー等）で押し込み、フレーム支持部材３１を上側に引き出せば容易に交換が出来る。
【００３３】
また、本実施の形態では、製氷室２１について説明したが、製氷室２１に併設した切替室に適用してももちろんよい。すなわち、野菜室２２、冷凍室２３に比べ、荷重の小さい貯蔵室に適したものである。
【産業上の利用可能性】
【００３４】
以上のように、本発明にかかる冷蔵庫は、引出し扉を引出した時のフレームを支持する支持部品を一部品で形成し、さらに左右兼用可能な形状にすることにより、材料費及び加工費を安く抑えることができるので、貯蔵庫の引出し装置等の用途にも適用できる。
【図面の簡単な説明】
【００３５】
【図１】本発明の実施の形態１における冷蔵庫の側断面図
【図２】同実施の形態の冷蔵庫の製氷室の正面図
【図３】同実施の形態の冷蔵庫図２の詳細図
【図４】同実施の形態の冷蔵庫の引き出し扉を引き出した状態時の側面図
【図５】同実施の形態の冷蔵庫の図４の平面図
【図６】同実施の形態の冷蔵庫のフレーム支持部材の斜視図
【図７】従来の冷蔵庫の引出し扉装置を示す部分縦断面図
【符号の説明】
【００３６】
１２  冷蔵庫本体
１３  断熱箱体
１４  内箱
１５  外箱
１６  発泡断熱材
１７  前面開口部
１８、１９、２４  仕切壁
２１  製氷室
２６  フレーム
３０  貯氷箱
３１  フレーム支持部材
３２  曲面形状の支持部
３３  規制リブ
【図１】
2006038357.tif 000003
【図２】
2006038357.tif 000004
【図３】
2006038357.tif 000005
【図４】
2006038357.tif 000006
【図５】
2006038357.tif 000007
【図６】
2006038357.tif 000008
【図７】
2006038357.tif 000009